(57)【要約】【課題】  ＩＣタグを備えたストラップを用いることにより、携帯機器の待受け画面やグループ化された電話帳等の利用画面の各種設定を容易に行えるようにする。【解決手段】  書き換えが可能な不揮発性の記憶素子を含むＩＣタグを有する装着物を取り付ける携帯機器において、ＩＣタグと無線通信を行うＩＣタグリーダ・ライタと、表示手段で表示する利用画面情報とＩＤ情報とを対応付けて記憶する記憶手段と、ＩＣタグリーダ・ライタを介してＩＣタグから読み出したＩＤ情報に基づいて記憶手段を検索し、対応する利用画面情報を抽出して表示手段に表示させる制御手段とを備える。【選択図】        図２
2006191298.tif 000002
【特許請求の範囲】
【請求項１】
書き換えが可能な不揮発性の記憶素子を含むＩＣタグを有する装着物を取り付ける携帯機器において、
前記ＩＣタグと無線通信を行うＩＣタグリーダ・ライタと、
表示手段で表示する利用画面情報とＩＤ情報とを対応付けて記憶する記憶手段と、
前記ＩＣタグリーダ・ライタを介してＩＣタグから読み出したＩＤ情報に基づいて記憶手段を検索し、対応する利用画面情報を抽出して表示手段に表示させる制御手段とを備えたことを特徴とする携帯機器。
【請求項２】
ＩＤ情報は、待受け画面を特定する設定ＩＤとし、
記憶手段は、設定ＩＤおよび設定された待受け画面の画面ＩＤを対応付けして記憶する設定情報記憶手段と、画面ＩＤと予め登録された画面情報とを対応付けて記憶する画面記憶手段とからなり、
制御手段は、ＩＣタグから読み出した設定ＩＤに基づいて前記設定情報記憶手段を検索して対応付する画面ＩＤを抽出し、抽出した画面ＩＤに基づいて前記画面記憶手段を検索して対応する画面情報を抽出し、抽出した画面情報を待受け画面として表示手段に表示させることを特徴とする請求項１記載の携帯機器。
【請求項３】
制御手段は、操作手段を用いて設定または変更したＩＤ情報をＩＣタグリーダ・ライタを介してＩＣタグに書き込むとを特徴とする請求項１または請求項２記載の携帯機器。
【請求項４】
制御手段は、現在表示されている待受け画面が他の画面情報に変更されたことを検出した場合には、当該変更された画面情報に対応付けられた画面ＩＤを抽出して新たな設定ＩＤと対応付けて設定情報記憶手段に記憶すると共に、当該新たな設定ＩＤを、ＩＣタグリーダ・ライタを介してＩＣタグに書き込むようにしたことを特徴とする請求項３記載の携帯機器。
【請求項５】
ＩＤ情報は、電話番号をグループ化した電話帳名称を特定する電話帳ＩＤとし、
記憶手段は、氏名、電話番号、これらをグループ化した電話帳名称および電話帳ＩＤを対応付けして記憶する電話帳記憶手段であり、
制御手段は、ＩＣタグリーダ・ライタを介してＩＣタグから読み出した特定された電話帳ＩＤに基づいて前記電話帳記憶手段を検索し、当該電話帳ＩＤに対応する電話帳名称のグループに属する電話番号を抽出して表示手段に電話帳画面として表示させることを特徴とする請求項４記載の携帯機器。
【請求項６】
制御手段は、ＩＣタグの電話帳ＩＤの変更または新規設定の要求があった場合、現在のＩＣタグから読み出した電話帳ＩＤに基づいて電話帳記憶部から対応する電話帳名称を抽出して表示させ、または電話帳ＩＤが読み出されなかった場合には未登録を表す画面を表示させ、これら表示された画面に対して新たな電話帳名称への変更が為された場合には、当該電話帳名称に新たな電話帳ＩＤを対応付けて電話帳記憶手段を更新すると共に、当該新たな電話帳ＩＤをＩＣタグリーダ・ライタを介してＩＣタグに書き込むようにしたことを特徴とする請求項５記載の携帯機器。
【請求項７】
装着物は、携帯電話用のストラップとしたことを特徴とする請求項１から請求項６のうちのいずれか１項記載の携帯機器。
【発明の詳細な説明】
【技術分野】
【０００１】
この発明は、無線ＩＣタグを備えたストラップを用いて自身の各種設定を行う携帯電話機のような携帯機器に関するものである。
【背景技術】
【０００２】
近年、バーコードや流通履歴の書き込みが可能なタグ（荷札）として、無線機能、メモリ、コントロール機能を微小のチップに納めた無線ＩＣタグ（技術名称はＲＦＩＤ：Radio Frequency IDentification：無線認証、以下「ＩＣタグ」とする。）の開発およびその応用開発が行われて来ている。このＩＣタグの応用技術として、ＩＣタグを携帯電話機と関連づけたものがある。その一つに、パーソナルコンピュータのような情報処理装置が携帯電話機との間で、例えばブルートゥース（Bluetooth （登録商標））機能による近距離無線通信を行う場合に、ＩＣタグを用いて通信相手となる携帯電話機を特定する方法がある（例えば、特許文献１参照）。この例では、近距離無線通信機能を内蔵した携帯電話機に、ストラップＩＤを記憶したＩＣタグを持つストラップを装着しておき、一方、同様な近距離無線通信機能を持つ情報処理装置側には、ストラップＩＤと携帯電話機の関係の対応テーブルおよびＩＣタグと無線通信を行う手段を備えさせておく。そして、情報処理装置が、携帯電話機と通信を行うときにはＩＣタグからストラップＩＤを入手し、対応テーブルを参照することにより、対応する携帯電話機を通信相手として特定し、特定した携帯電話機と近距離無線通信を開始するというものである。
【０００３】
また、ＩＣタグを携帯電話機と関連づけた応用技術として、例えば身の回りの持ち物のそれぞれにＩＣタグを付けておき、携帯電話機にはＩＣタグと無線通信を行うＩＣタグ検知装置を内蔵しておき、忘れ物防止を行うというものがある（例えば、特許文献２参照）。このＩＣタグ検知装置では、記憶手段に各ＩＣタグの識別情報を予め登録し、通信により所定の周期でそれぞれのＩＣタグからタグデータ入手する。そして、入手データを基に記憶された識別情報を参照して、ＩＣタグの存否を判定し、対象とするＩＣタグが存在しなかった場合、アラームで報知するという動作を行う。なお、このケースのＩＣタグは、記憶している情報を変更できない構成のものである。
【０００４】
【特許文献１】特開２００３−８７２６３号公報（図２）
【特許文献２】特開２００４−１３７８９号公報（図１）
【発明の開示】
【発明が解決しようとする課題】
【０００５】
ところで、携帯電話機において、待受け画面は、予め設定して使用するものであるが、ユーザによっては、日々変更したい場合あるいは時間帯に応じて会社用と個人用の画面を切り換えたい場合などがある。このように待受け画面の設定変更を頻繁に行う場合には、その都度、煩雑な操作が要求されてきた。また、携帯電話機内に設けられた電話帳は、メモリが高密度化されるに従い登録件数が大幅に増えるようになっている。例えば数千件の電話番号を登録している場合などには、ユーザは既存の多様な検索方法からグループ分けした電話帳を選択して目的の番号を探し出す必要があり、煩わしい操作と時間を要して来た。このように、従来の携帯電話機では、ユーザが頻繁に変更設定や選択を行う操作を容易にするものではなかった。また、上記特許文献１や特許文献２の技術では、これらの問題解決に対応しうるものではなかった。
【０００６】
この発明は、上記問題点を解決するためになされたもので、ＩＣタグを備えたストラップを用いることにより、利用画面の設定変更や選択を行う操作を容易に行えるようにする携帯機器を得ることを目的とする。
【課題を解決するための手段】
【０００７】
この発明に係る携帯機器は、書き換えが可能な不揮発性の記憶素子を含むＩＣタグを有する装着物を取り付ける携帯機器において、ＩＣタグと無線通信を行うＩＣタグリーダ・ライタと、表示手段で表示する利用画面情報とＩＤ情報とを対応付けて記憶する記憶手段と、ＩＣタグリーダ・ライタを介してＩＣタグから読み出したＩＤ情報に基づいて記憶手段を検索し、対応する利用画面情報を抽出して表示手段に表示させる制御手段とを備えたものである。
【発明の効果】
【０００８】
この発明によれば、携帯機器に交換可能に取り付けるＩＣタグを用いることにより、待受け画面やグループ化した電話帳画面等の利用画面の設定変更や選択の自動化を図り、ユーザの操作負担を軽減して利用画面情報を容易に取り出し表示することができる効果がある。また、利用画面情報を特定するＩＤ情報を記憶したＩＣタグを交換することにより、利用画面情報の切り換えを容易にする効果がある。
【発明を実施するための最良の形態】
【０００９】
実施の形態１．
図１はこの発明の各実施の形態に係る携帯機器（携帯電話機）とストラップの外観構成を表す説明図である。
図１（ａ）において、ストラップ（装着物）３０ａ、３０ｂは、外観上は携帯機器１０に取り付けることで目印や飾りとしたり、紛失を防止のためなどに用いたりするものであるが、飾り部分にＩＣタグ４０ａ、４０ｂが埋め込まれている。また、図１（ｂ）は、ストラップ３０ｃが飾り結合部３２を有し、紐部分３１を携帯機器に取り付けたままで、飾り結合部３２でＩＣタグ４０ｃ，４０ｄを付け替える構造を示しており、ストラップ付け替え時の利便性を与えている。ＩＣタグ４０ａ，４０ｂ，４０ｃ，４０ｄ（以下、総称して符号を４０とする。）は、それぞれ書き替え可能な不揮発性の記憶素子を備えている。携帯機器１０には、無線通信によりＩＣタグ４０に対して所定のデータの書き込みと読み出しを行うＩＣタグリーダ・ライタ２０を備えている。なお、ＩＣタグリーダ・ライタ２０としては、携帯機器がＩＣタグ４０ｃ，４０ｄの記憶情報を読み取り利用する機能だけの場合には「ＩＣタグリーダ」でよいが、この発明では説明上統一して「ＩＣタグリーダ・ライタ」を用い、機能により読み替えて扱うものとする。また、図１（ａ）において、後の動作説明に用いるため便宜上、ＩＣタグ４０ａはＩＤ情報（実施の形態１では設定ＩＤ、実施の形態２では電話帳ＩＤ）を記憶しており、他方のＩＣタグ４０ｂは設定ＩＤを未だ記憶していないものと仮定しておく。
【００１０】
図１０はＩＣタグ４０の一般的な機能構成を示すブロック図である。
ＩＣタグ４０において、ＩＣタグリーダ・ライタ２０からの電波（搬送波）をアンテナ／送受信部４３で受信すると、電波の周波数の同調（共振）を取り、その信号を電源部４７で整流してＩＣタグ４０内で使用する電源電圧を生成する。そのために、ＩＣタグリーダ・ライタ２０は、ＩＣタグ４０との通信中は電波を送り続けるようにしている。制御部４２は、ＲＯＭなどの記憶素子に記憶された制御プログラム４１により指令を受け動作する。送信を行う場合、制御部４２は、ＥＰＲＯＭなどの不揮発性の記憶素子４５に記憶されたＩＤ情報を読み出し手段４４を介して読み出し、デジタルデータにしてアンテナ／送受信部４３に与える。アンテナ／送受信部４３は、そのデータ信号で搬送波を変調し、送信電波にしてＩＣタグリーダ・ライタ２０に送る。この場合の搬送波には、通信中にＩＣタグリーダ・ライタ２０から送られ共振している電波の周波数が利用される。一方、受信を行う場合、アンテナ／送受信部４３は、ＩＣタグリーダ・ライタ２０からの電波（変調された搬送波）を受信すると、これを復調する。制御部４２は、復調された信号からＩＤ情報を復号すると、書き込み手段４６を介して記憶素子４５に記憶する。
【００１１】
図１１はＩＣタグリーダ・ライタ２０の一般的な機能構成を示すブロック図である。
ＩＣタグリーダ・ライタ２０において、制御部２２は、ＲＯＭなどの記憶素子に記憶された制御プログラム２１により指令を受け動作し、アンテナ／送受信部２３を介してＩＣタグ４０との無線通信を行う。アンテナ／送受信部２３は、通信時、搬送波周波数の電波をＩＣタグ４０に対して送るが、ＩＣタグ４０から読み出したＩＤ情報（設定ＩＤ）に関するデータ信号を受信して復調する。制御部２２は、この復調されたデータ信号を復号し、インタフェース２４を介して利用機器（実施の形態１では図１の設定制御部１１）に伝える。また、ＩＣタグ４０にＩＤ情報を書き込む際には、制御部２２は携帯機器１０から与えられたＩＤ情報を符号化したデジタルデータとし、アンテナ／送受信部２３に与える。アンテナ／送受信部２３では、デジタルデータにより搬送波を変調し、ＩＣタグ４０に送信する。
【００１２】
図２はこの発明の実施の形態１による携帯機器の対象部分の機能構成を示すブロック図である。なお、この実施の形態１においては、図１に示したストラップ３０に設けられたＩＣタグ４０には、待受け画面として設定する画面情報（利用画面情報）と対応付けされた設定ＩＤが記憶される。
ＩＣタグリーダ・ライタ２０は、ストラップ３０に設けられたＩＣタグ４０の記憶素子から設定ＩＤを読み出したり、ＩＣタグ４０の記憶素子に新た設定ＩＤを書き込んだりするための通信を行う手段として動作する。設定情報記憶部１２は、図３に例示すように、ストラップ３０に設けられたＩＣタグ４０を特定するための設定ＩＤ、待受け画面の用途名称、および設定された待受け画面の画面ＩＤを対応付けして予め記憶する手段である。画面記憶部１３は、画面ＩＤと予め登録された画面情報を対応づけて記憶する手段である。設定制御部１１は、ＩＣタグリーダ・ライタ２０で受信した設定ＩＤに基づいて設定情報記憶部１２を検索し対応付する画面ＩＤを抽出し、この抽出した画面ＩＤに基づいて画面記憶部１３を検索して対応する画面情報を抽出し、待受け画面として表示手段１４に表示させる手段である。また、設定制御部１１は、待受け画面に対する設定ＩＤの変更処理を行い、変更された新たな設定ＩＤをＩＣタグリーダ・ライタ２０を介してＩＣタグ４０に書き込むことも行う。操作手段１５は、従来から携帯機器が備えているキーであるが、ストラップ３０に対応付けされた待受け画面の設定ＩＤを変更する場合にユーザが入力を行う手段である。
【００１３】
図４は実施の形態１に係る待受け画面を表示させる際の動作を示すフローチャートである。
図２の構成において、携帯機器１０に電源が入ると、設定制御部１１は制御プログラム４１に従って動作を開始し、ＩＣタグリーダ・ライタ２０は、ストラップ３０に設けられたＩＣタグ４０と設定ＩＤを読み取るための通信を行う。設定制御部１１は、ＩＣタグリーダ・ライタ２０がＩＣタグ側からの信号を受信したか否かによりＩＣタグの有無を確認する（ステップＳＴ１）。ＩＣタグがない場合には、携帯機器１０に予め登録されているデフォルトの待受け画面を表示手段１４により表示する（ステップＳＴ６）。一方、ＩＣタグが存在した場合には、設定制御部１１は、ＩＣタグリーダ・ライタ２０がＩＣタグ４０に設定ＩＤが記憶されているか否かを判定する（ステップＳＴ２）。設定ＩＤを読み取れなかった場合には、携帯機器１０に予め登録されているデフォルトの待受け画面を表示させる（ステップＳＴ６）。一方、設定ＩＤを読み取った場合には、その設定ＩＤに基づいて設定情報記憶部１２を検索し、設定ＩＤに対応した画面ＩＤを抽出する（ステップＳＴ３）。次に、読み出した画面ＩＤに基づいて画面記憶部１３を検索し、予め登録された対応する画面情報を読み出し（ステップＳＴ４）、その画面情報を待受け画面として表示手段１４に表示させる（ステップＳＴ５）。
【００１４】
周知のように、最近の携帯電話機は購入時に記憶されている既成の待受け画面としての画面情報のほかに、インタネットからダウンロードした画像やイラスト、内蔵カメラによる撮影画像を画面ＩＤと共に格納できるようになっている。したがって、ユーザは、操作手段１５を用いて画面ＩＤを選択指定することにより、現在表示されている待受け画面から、格納された別の画面情報に変更できるわけである。ユーザは、選択した待受け画面から要望するものを、図４で説明したように、直ぐに表示できるようにするために、対応する設定ＩＤをＩＣタグ４０に記憶しておくことが求められる。この処理動作について次に説明する。
【００１５】
図５は実施の形態１に係る待受け画面から設定ＩＤをＩＣタグに書き込む動作を示すフローチャートである。この動作のステップＳＴ１１〜ＳＴ１６までは、図４で説明したステップＳＴ１〜ＳＴ６と類似するが、最初のステップＳＴ１１でＩＣタグが確認されなかった場合、そのまま動作が終了する点で異なっているだけである。したがって、ここでは、ステップＳＴ１５またはＳＴ１６で待受け画面が表示された状態から以降の動作ステップについて説明することにする。
設定制御部１１は、ユーザによる待受け画面の変更操作の有無を検出する（ステップＳＴ１７）。待受け画面が変更された場合には、その画面情報に対応付けられた画面ＩＤを画面記憶部１３から抽出し（ステップＳＴ１８）、この画面ＩＤを新たな設定ＩＤと対応付けて設定情報記憶部１２に格納すると共に、その新たな設定ＩＤを読み出す（ステップＳＴ１９）。
【００１６】
次に、設定制御部１１は、ＩＣタグリーダ・ライタ２０を介してＩＣタグ４０との通信を行い、受信したＩＣタグの信号から設定ＩＤが現在記憶されているか否かを調べる（ステップＳＴ２０）。既に設定ＩＤを持つＩＣタグ４０ａの場合には、書き込みを行わず終了する。一方、設定ＩＤがないＩＣタグ４０ｂの場合には、新たな設定ＩＤをＩＣタグリーダ・ライタ２０を介してＩＣタグ４０ｂへ送信し、受信した新たな設定ＩＤを記憶素子に書き込む。なお、ステップＳＴ１７において、待受け画面が変更されない場合はそのまま処理を終了する。
このように、ユーザが従来の操作で待受け画面として選択した画面情報について、優先使用を要望する画面として自動的に設定ＩＤを設けてＩＣタグ４０に記憶しておき、そのＩＣタグ４０を用いて次回からの待受け画面を優先して設定できるようにしている。なお、図５の動作では、設定ＩＤがないＩＣタグ４０ｂに対してのみ新たな設定ＩＤを書き込んだが、設定ＩＤがあるＩＣタグ４０ａを書換えるように処理としてもよい。
【００１７】
以上のように、この実施の形態１によれば、設定ＩＤおよび設定された待受け画面の画面ＩＤを対応付けして記憶する設定情報記憶部と、画面ＩＤと予め登録された画面情報とを対応付けて記憶する画面記憶部とを備え、設定制御部が、ＩＣタグリーダ・ライタ介してストラップに設けられたＩＣタグから読み出した設定ＩＤに基づいて前記設定情報記憶手段を検索して対応付する画面ＩＤを抽出し、抽出した画面ＩＤに基づいて前記画面記憶手段を検索して対応する画面情報を抽出し、抽出した画面情報を待受け画面として表示手段に表示させ、また、現在表示されている待受け画面が他の画面情報に変更されたことを検出した場合には、当該変更された画面情報に対応付けられた画面ＩＤを抽出して新たな設定ＩＤと対応付けて設定情報記憶部に記憶すると共に、当該新たな設定ＩＤをＩＣタグリーダ・ライタを介してＩＣタグに書き込むようにしたものである。したがって、待受け画面として利用する画面情報を特定する設定ＩＤを書き込んだストラップを交換する操作のみで自動的に待受け画面の変更が可能となり、日毎や状況に応じたストラップを用意しておくことにより、待受け画面の設定変更の煩雑な操作を避けることができる効果が得られる。また、ストラップの形状を識別の目印とすることで、使用する待受け画面の交換時の誤操作を少なくすることもできるという効果も得られる。さらに、表示している待受け画面からＩＣタグのＩＤ情報を自動的に書き込みあるいは更新することができる効果も得られる。
なお、実施の形態１では、ストラップ３０に設けられたＩＣタグ４０にユニークな設定ＩＤを設けることで汎用的にする例を示したが、一般的なＩＣタグで規定されている標準的なＩＤを備えるＩＣタグの場合にも、個々にユニークなＩＤが規定されているので、それをこの発明の設定ＩＤとして代用してもよい。
【００１８】
実施の形態２．
図６はこの発明の実施の形態２による携帯機器の対象部分の機能構成を示すブロック図で、図において、図２に相当する部分には同一符号を付す。
電話帳記憶部１７は、図７に例示するように、一般的な電話帳の氏名（含、会社名等）、電話番号、これらをグループ化した電話帳名称、および電話帳名称に対する電話帳ＩＤを対応付けして記憶する手段である。この実施の形態２では、図１に示されるストラップ３０に設けられたＩＣタグ４０の記憶素子には、電話帳ＩＤのうちユーザが要望する電話帳名称を特定する電話帳ＩＤが記憶される。操作手段１５は、携帯機器１０へ電話帳の表示要求を行う際、また、電話帳ＩＤの変更を行う際にユーザが操作する手段となる。ＩＣタグリーダ・ライタ２０は、ＩＣタグ４０から電話帳ＩＤを読み取ったり、変更する電話帳ＩＤをＩＣタグ４０に書き込んだりするための通信を行う手段として動作する。電話帳制御部１６は、ＩＣタグリーダ・ライタ２０を介してＩＣタグ４０から読み取った電話帳ＩＤに基づいて電話帳記憶部１７を検索し、電話帳表示の際には、当該電話帳ＩＤに対応する電話帳名称のグループに属する電話番号を抽出して表示手段１４に電話帳画面として表示させ、また、電話帳ＩＤの変更を行う際には、読み取った電話帳ＩＤに対応する電話帳名称を抽出して表示手段１４に表示させ、変更された新たな電話帳ＩＤをＩＣタグリーダ・ライタ２０を介してＩＣタグ４０に書き込む手段である。
【００１９】
図８は実施の形態２に係る電話帳画面を表示する動作を示すフローチャートである。
ユーザが操作手段１５を用いて携帯機器１０へ電話帳の表示要求を行うと（ステップＳＴ３１）、電話帳制御部１６は、ＩＣタグリーダ・ライタ２０を介して、ストラップ３０に設けられたＩＣタグ４０と設定ＩＤを読み取るための通信を行う。電話帳制御部１６は、ＩＣタグリーダ・ライタ２０がＩＣタグ側からの信号を受信したか否かによりＩＣタグの有無を確認する（ステップＳＴ３２）。ＩＣタグが取り付けられていない場合には、電話帳記憶部１７に登録されている電話帳のすべてを表示手段１４に表示させる（ステップＳＴ３６）。一方、ＩＣタグ４０が取り付けられていた場合には、そのＩＣタグ４０に電話帳ＩＤが記憶されているか否かを判定する（ステップＳＴ３３）。電話帳ＩＤが記憶されていない場合には、上記と同様に電話帳記憶部１７に登録されている電話帳のすべてを表示させる（ステップＳＴ３６）。電話帳ＩＤが記憶されていた場合には、読み出した電話帳ＩＤに基づいて電話帳記憶部１７を検索し、その電話帳ＩＤ対応付けられた電話帳名称のグループに属する電話番号のみを抽出し（ステップＳＴ３４）、抽出した電話番号からなる電話帳画面を表示手段１４に表示させる（ステップＳＴ３５）。
以上の動作に示すように、携帯機器１０の電話帳に登録される氏名、電話番号、これらをグループ化した電話帳名称に電話帳ＩＤを対応づけ、かつストラップ３０に設けられたＩＣタグ４０に所定の電話帳ＩＤを記憶しておき、そのＩＣタグ４０から読み出した電話帳ＩＤに従って当該電話帳ＩＤを検索することにより、該当する電話帳名称に属する電話番号を表示することを自動的に可能にしている。
【００２０】
図９は実施の形態２に係るＩＣタグの電話帳ＩＤを更新または新たに記憶する動作を示すフローチャートである。
ユーザが操作手段１５を用いてストラップ３０に設けられたＩＣタグ４０の電話帳ＩＤの変更または新規設定の要求を行うと（ステップＳＴ４１）、電話帳制御部１６は、ＩＣタグリーダ・ライタ２０を介して、ストラップ３０に設けられたＩＣタグ４０から設定ＩＤを読み出すための通信を行う。電話帳制御部１６は、ＩＣタグリーダ・ライタ２０がＩＣタグ側からの信号を受信したか否かにより、ＩＣタグの有無を確認する（ステップＳＴ４２）。ＩＣタグが取り付けられていない場合には、そのまま処理を終了する。一方、ＩＣタグ４０が取り付けられていた場合には、そのＩＣタグ４０に電話帳ＩＤが記憶されているか否かを判定する（ステップＳＴ４３）。電話帳ＩＤが記憶されていない場合には、現在記憶されていないことを知らせる未登録画面を表示手段１４に表示させる（ステップＳＴ４６）。一方、電話帳ＩＤが記憶されていた場合には、読み出した電話帳ＩＤに基づいて電話帳記憶部１７を検索して、対応付けされた電話帳名称を抽出し（ステップＳＴ４４）、抽出した電話帳名称を表示手段１４に表示させる（ステップＳＴ４５）。
【００２１】
次に、電話帳制御部１６は、現在表示された画面（電話帳名称または未登録画面）がユーザにより変更されたか否かを調べる（ステップＳＴ４７）。現在表示された画面が変更されない場合には、処理を終了する。一方、現在表示された画面が新たに選択された電話帳名称に変更された場合には、この変更された電話帳名称に対応付けて電話帳ＩＤを設定し、電話帳記憶部１７を更新する（ステップＳＴ４８）と共に、対応付けられた新たな電話帳ＩＤをＩＣタグリーダ・ライタ２０を介してストラップ３０に設けられたＩＣタグ４０へ送信して記憶素子に書き込む（ステップＳＴ４９）。この場合、ＩＣタグ４０が元の電話帳ＩＤを記憶したままであれば、新たな電話帳ＩＤに更新されるし、ＩＣタグ４０の記憶素子が無記憶であれば新規なデータが書き込まれることになる。このようにして、携帯機器に登録されている電話番号をグループ化した電話帳のうち、ユーザが特定した電話帳に電話帳ＩＤを対応付け、その電話帳ＩＤをストラップに設けられたＩＣタグに書き込むようにしている。
【００２２】
以上のように、この実施の形態２によれば、氏名、電話番号、これらをグループ化した電話帳名称および電話帳ＩＤを対応付けして記憶する電話帳記憶部を備え、制御手段が、ＩＣタグリーダ・ライタを介してＩＣタグから読み出した特定された電話帳ＩＤに基づいて電話帳記憶部を検索し、当該電話帳ＩＤに対応する電話帳名称のグループに属する電話番号を抽出して表示手段に電話帳画面として表示させるようにし、また、ＩＣタグの電話帳ＩＤの変更または新規設定の要求があった場合、電話帳記憶部は、現在のＩＣタグから読み出した電話帳ＩＤに基づいて電話帳記憶部から対応する電話帳名称を抽出して表示させ、または電話帳ＩＤが読み出されなかった場合には未登録を表す画面を表示させ、表示された画面に対して新たな電話帳名称への変更が成された場合には、当該新たな電話帳名称に新たな電話帳ＩＤを対応付けて電話帳記憶部を更新すると共に、当該新たな電話帳ＩＤをＩＣタグリーダ・ライタを介してＩＣタグに書き込むようにしたものである。したがって、以降、電話帳ＩＤを記憶したＩＣタグを設けたストラップを交換する操作のみで、自動的に必要なグループの電話番号をすばやく検索することができる効果が得られる。また、場面に応じた個々のストラップを用意しておくことで、多数の電話番号の中から必要な電話番号を簡易に検索することが可能となる。
【００２３】
上記各実施の形態では、ＩＣタグを有する携帯機器用のストラップを用いることについて発明を説明してきたが、この発明は、ストラップ以外に、ＩＣタグを内蔵した他の装着物を携帯機器に適用しても同様に実現できる。一般に携帯電話機には、充電や通信用のコネクタあるいはイヤホーン受け口が設けられ、これらには不使用時にダミーキャップが装着されているので、このダミーキャップにＩＣタグを埋め込んでおいてもよい。また、携帯電話機の操作の邪魔にならないような構造のＩＣタグを埋め込んだ装着物を、電池ケース内や携帯電話機の筐体外に取り付けるようにしても同様に発明を実現できる。
【図面の簡単な説明】
【００２４】
【図１】この発明の各実施の形態に係る携帯機器とストラップの外観構成を表す説明図である。
【図２】この発明の実施の形態１による携帯機器の対象部分の機能構成を示すブロック図である。
【図３】この発明の実施の形態１に係る設定情報記憶部に記憶されたデータ例を示す説明図である。
【図４】この発明の実施の形態１に係る待受け画面を表示させる動作を示すフローチャートである。
【図５】この発明の実施の形態１に係る設定ＩＤをＩＣタグに書き込む動作を示すフローチャートである。
【図６】この発明の実施の形態２による携帯機器の対象部分の機能構成を示すブロック図である。
【図７】この発明の実施の形態２に係る電話帳記憶部に記憶されたデータ例を示す説明図である。
【図８】この発明の実施の形態２に係る電話帳画面の表示動作を示すフローチャートである。
【図９】この発明の実施の形態２に係るＩＣタグの電話帳ＩＤを更新または設定する動作を示すフローチャートである。
【図１０】ＩＣタグの一般的な機能構成を示すブロック図である。
【図１１】ＩＣタグリーダ・ライタの一般的な機能構成を示すブロック図である。
【符号の説明】
【００２５】
１０  携帯機器、１１  設定制御部、１２  設定情報記憶部（記憶手段）、１３  画面記憶部（記憶手段）、１４  表示手段、１５  操作手段、１６  電話帳制御部、１７  電話帳記憶部（記憶手段）、２０  ＩＣタグリーダ・ライタ、３０  ストラップ、４０  ＩＣタグ。
【図１】
2006191298.tif 000003
【図２】
2006191298.tif 000004
【図３】
2006191298.tif 000005
【図４】
2006191298.tif 000006
【図５】
2006191298.tif 000007
【図６】
2006191298.tif 000008
【図７】
2006191298.tif 000009
【図８】
2006191298.tif 000010
【図９】
2006191298.tif 000011
【図１０】
2006191298.tif 000012
【図１１】
2006191298.tif 000013